(57)【要約】【課題】  汚物水排出式トイレにおいて、汚物水タンクの内圧を、常時ほぼ一定に保つことができる内圧調整装置を提供する。【解決手段】  排泄物を貯溜可能な便器から、排泄物を水洗した汚物水を汚物水タンクに流入させ、その汚物水をポンプ１８により排出する汚物水排出式トイレにおいて、汚物水タンク１３に流入する汚物水量が増加するにつれて、汚物水タンク１３の気室領域Ａの圧力が高まり押し出される臭気を流入させ、ポンプ１８による汚物水の排出が進み汚物水タンク１３の気室領域Ａの圧力が低下するにつれて、臭気を流出させる圧力調整袋２３を汚物水タンク１３に連通した構成を有する。【選択図】          図３
2005155256.tif 000002
【特許請求の範囲】
【請求項１】
排泄物を貯溜可能な便器から、排泄物を水洗した汚物水を汚物水タンクに流入させ、その汚物水をポンプにより排出する汚物水排出式トイレにおいて、
汚物水タンクに流入する汚物水量が増加するにつれて汚物水タンクの気室領域の圧力が高まり押し出される臭気を流入させ、ポンプによる汚物水の排出が進み汚物水タンクの気室領域の圧力が低下するにつれて臭気を流出させる圧力調整袋を汚物水タンクに連通した構成を有している汚物水排出式トイレにおける内圧調整装置。
【請求項２】
圧力調整袋は、気密性を有する柔軟な材料により形成され、膨張・収縮可能な気のう状の構造を有している請求項１記載の汚物水排出式トイレにおける内圧調整装置。
【請求項３】
圧力調整器と汚物水タンクの気室領域を連通する手段として、汚物水タンクに接続口を複数箇所設け、圧力調整袋には接続口と同数個の通気口部を設けて、通気口部を接続口に接続するようにした請求項１又は２記載の汚物水排出式トイレにおける内圧調整装置。
【発明の詳細な説明】
【技術分野】
【０００１】
本発明は、排泄物を貯溜可能な便器から、排泄物を水洗した汚物水を汚物水タンクに流入させ、その汚物水をポンプにより排出する汚物水排出式トイレにおける内圧調整装置に関するものである。
【背景技術】
【０００２】
室内特にベッド脇などに設置することができる、移動式水洗トイレは、ポータブルトイレのように後始末の必要がなく、寒さと暑さの影響を受けずに済ませることができるた
め、病人や老人の介護設備として好評である。この種のトイレの場合、水洗式のため臭気も最小限度に抑制されるが、そのためには気密性も高く維持する必要があり、汚物水が汚物水タンクに流入しにくくなるという問題がある。
【０００３】
内圧上昇の対策として空気穴を設ければ、臭気もタンク外へ漏らすことになる。しかしながら、排気管を屋外へ出すとなれば、壁に穴を開ける工事が必要となり、また逆に水流の勢いが良くなり過ぎて、便器内のトラップ用水まで引き込んでしまうという問題が起こり得る。
【０００４】
【特許文献１】特開２０００−８４４２
【発明の開示】
【発明が解決しようとする課題】
【０００５】
本発明は前記の点に着目してなされたもので、その課題は、汚物水排出式トイレにおいて、汚物水タンクの内圧を、常時ほぼ一定に保つことができる内圧調整装置を提供することにある。また本発明の他の課題は、汚物水に伴う臭気をタンク外へ漏らすことなく汚物水タンクの内圧調整を可能とすることである。
【課題を解決するための手段】
【０００６】
前記の課題を解決するため、本発明は、排泄物を貯溜可能な便器から、排泄物を水洗した汚物水を汚物水タンクに流入させ、その汚物水をポンプにより排出する汚物水排出式トイレにおいて、汚物水タンクに流入する汚物水量が増加するにつれて汚物水タンクの気室領域の圧力が高まり押し出される臭気を流入させ、ポンプによる汚物水の排出が進み汚物水タンクの気室領域の圧力が低下するにつれて臭気を流出させる圧力調整袋を汚物水タンクに連通した構成とするという手段を講じたものである。
【０００７】
本発明の対象とする汚物水排出式トイレは、水道水等の給水系から給水を受けて水洗用タンクに貯留し、用便に伴う水洗後汚物水を汚物水タンクに流入させ、汚物水タンクから屋外へ汚物水を排出する構成を有している。設置の際には、給水、排水のホースを室内に引き込み接続すれば良い。便器及び汚物水タンクは水洗用タンクとともに一体的にまとめられ（図１参照）、畳１帖分以下のスペースに十分に設置することができる。
【０００８】
汚物水タンクは、水洗トイレの便器と通水管により接続されており、固形の汚物が殆んど無抵抗に汚物水タンクへ導入されるようになっている。このため、固形の汚物をスムーズに下流へ排出すべく、粉砕用の回転刃を具備したポンプを、汚物水の排出手段として設置した構成を有する。さらにポンプが、その羽根車の回転軸線が鉛直線に対して傾斜するように配置されていることは好ましい結果をもたらす。傾斜位置により、ポンプの吸引口と汚物水タンクの特に底との間に適切な水流を伴う空間が形成されるので、吸引口へ向かう水洗水流の流勢を弱めずに済むものである（図３参照）。なお、ポンプとしては、水中ポンプが好都合である。
【０００９】
本発明は、このような汚物水タンクの気密性高く保たれる構造に鑑み、圧力調整装置としての圧力調整袋を汚物水タンクに取り付けているものである。圧力調整袋は、気密性を有する柔軟な材料により膨張・収縮可能な気のう状の構造に形成されているもので、汚物水タンクとは通気手段により連通する。通気手段は、圧力調整袋と汚物水タンクとを気密に連通し、汚物水タンクに汚物水が流入するときには、それによって狭ばめられ高圧となる、気室領域（タンク内の汚物水上の空間）から押し出される臭気を圧力調整袋に導入させ、汚物水がタンクから流出するときには、それによって拡大し低圧となる気室領域に臭気を導出させる、気体流路の一種である。
【００１０】
このように圧力調整袋は、汚物水タンクの水位上昇に伴う圧力上昇、及び水位低下に伴なう圧力低下に応じて膨張し、或いは収縮することで、気室領域の圧力の過大な上昇、及び圧力の過剰な低下を防止する。このため内圧平均化により汚物水は円滑に流入し、また逆にトラップ用水まで引き込む事態を招かない。それと同時に、汚物水に伴なう臭気は圧力調整袋には流出するが、袋外に出ることはないので臭気漏れを防止することにもなる。
【発明の効果】
【００１１】
本発明は以上の如く構成されかつ作用するものであるから、汚物水排出式トイレにおいて、汚物水タンクの内圧（気室領域の圧力）を、常時ほぼ一定に保つことができ、水洗トイレとしての機能を保全すると同時に、汚物水に伴う臭気をタンク外へ漏らすということがないという効果を奏する。
【発明を実施するための最良の形態】
【００１２】
以下図示の実施形態により本発明を詳細に説明する。図１に汚物水排出式トイレ１０を示す。このトイレ１０は、排泄物を貯溜可能な便器１１と、便器１１に供給する水洗水を貯溜したロータンク１２と、排泄物を水洗した汚物水を流入させる汚物水タンク１３を有しており、それらは台座１４上にまとめられ一体化されている。
【００１３】
便器排水部１５と汚物水タンク流入部１６とは通水管１７によって接続されており（図２）、流入部１６の近くの汚物水タンク内には水中ポンプ１８が鉛直線から３５度前後傾けた状態で設置されている。水中ポンプ１８は，流入部１６に近い下部に吸引部、上部に排出部を有していて、吸引口外には回転刃１９が固形状態の排泄物を粉砕するために設けられている。２１は排出ホースを示しており、水中ポンプ１８で吸引した汚物水を外部へ排出する。
【００１４】
汚物水タンク１３は気密性及び液密性を有するタンクであり、そのタンク内外を通じる蓋板２２の上に圧力調整袋２３が配置される。圧力調整袋２３は、ガスバリヤ性を有する強靭なシート材を用いて気密袋構造に形成してあるもので、袋内外の通気手段として通気口具２４が設けられている。例示されている通気口具２４は、蓋板２２に複数箇所形成してある接続口２５に嵌め込んで気密に接続する構成のものである。例示の通気口具２４
は、柔軟材により先端につば２６を有する短いパイプ状に形成してあるもので、弾性変形させて接続口２５に嵌め込み、つば２６で内側からシールすることができるようになっている。
【００１５】
圧力調整袋２３は、汚物水タンク１３の水位が上昇したときに膨満し、水位が下がったときには収縮するが、トイレ使用に伴う全ての動作が終了しているときには汚物水タンク１３は空の状態であり、圧力調整袋２３も収縮している。図３に圧力調整袋２３を２点鎖線で示した状態である。この状態からトイレを使用し、汚物水が汚物水タンク１３に流入し水位がＨまで上昇すると、気室領域Ａの圧力が高まり押し出される空気が通気手段より圧力調整袋２３に流入してこれを膨満させるので圧力が過大に上昇することはない。図３の実線の状態である。ポンプ１８が作動して汚物水が排水され、水位がＬまで下がり気室領域Ａの圧力が低下すると、圧力調整袋２３内から空気が通気手段より汚物水タンクに戻るので、気室領域Ａの圧力は低下し過ぎるまでには到らない。
【００１６】
図３において、２７はロータンク１２への給水系２８における継手である。また、２９はポンプ作動センサー、３０はポンプ停止センサーであり、図外の制御回路に接続され、水中ポンプ１８の作動制御に用いられる。また、３１は接地センサー、３２はポンプ用コードを示す。
【図面の簡単な説明】
【００１７】
【図１】本発明に係る汚物水排出式トイレにおける内圧調整装置の１例を示す斜視図。
【図２】同上装置の模式的説明図。
【図３】（ａ）汚物水タンクと圧力調整袋の説明図。（ｂ）圧力調整袋を汚物水タンクに接続した部分を示す説明図。
【符号の説明】
【００１８】
１０  汚物水排出式トイレ
１１  便器
１２  ロータンク
１３  汚物水タンク
１７  通水管
１８  ポンプ
２１  排出ホース
２２  蓋板
２３  圧力調整袋
２４  通気口具
２５  接続口
【図１】
2005155256.tif 000003
【図２】
2005155256.tif 000004
【図３】
2005155256.tif 000005